(57)【要約】  本発明にかかる電力増幅装置（１）は、設定周波数で動作するように調整されたドハティアンプ（１０）と、ドハティアンプ（１０）の入力信号ＲＦ_ＩＮの周波数である供給周波数と設定周波数とを比較する周波数比較器（１１）と、供給周波数と設定周波数とが異なる場合、ドハティアンプ（１０）の動作状態を非アクティブ状態にする保護回路（１２）と、を備える。本発明により、設定周波数と異なる周波数の入力信号ＲＦ_ＩＮが供給された際にドハティアンプ（１０）を保護することができる。
2015033379.tif 000002
【特許請求の範囲】
【請求項１】
第１の周波数で動作するように調整されたドハティアンプと、
前記ドハティアンプの入力信号の周波数である第２の周波数と前記第１の周波数とを比較する周波数比較器と、
前記第１の周波数と前記第２の周波数とが異なる場合、前記ドハティアンプの動作状態を非アクティブ状態にする保護回路と、を備える、
電力増幅装置。
【請求項２】
前記保護回路は、前記ドハティアンプへの電力供給を抑制することで前記ドハティアンプの動作状態を非アクティブ状態にする、請求項１に記載の電力増幅装置。
【請求項３】
前記ドハティアンプの前記入力信号を減衰させる可変減衰器を更に備え、
前記保護回路は、前記可変減衰器を用いて前記ドハティアンプの前記入力信号を減衰させることで前記ドハティアンプの動作状態を非アクティブ状態にする、請求項１に記載の電力増幅装置。
【請求項４】
前記ドハティアンプの前段に設けられ、前記入力信号を所定のレベルに増幅するプリアンプを更に備え、
前記保護回路は、前記プリアンプへの電力供給を抑制することで前記ドハティアンプの動作状態を非アクティブ状態にする、請求項１に記載の電力増幅装置。
【請求項５】
前記ドハティアンプの前段に設けられたスイッチ素子を更に備え、
前記保護回路は、前記スイッチ素子を用いて前記ドハティアンプの前記入力信号を遮断することで前記ドハティアンプの動作状態を非アクティブ状態にする、請求項１に記載の電力増幅装置。
【請求項６】
前記ドハティアンプは伝送線路を含み、
前記伝送線路は、前記ドハティアンプの設定周波数である前記第１の周波数と対応する長さを備える、
請求項１乃至５のいずれか一項に記載の電力増幅装置。
【請求項７】
前記伝送線路は前記第１の周波数に応じて交換可能に構成されている、請求項６に記載の電力増幅装置。
【請求項８】
前記ドハティアンプの設定周波数である前記第１の周波数を入力するための入力部と、
前記入力部を用いて入力された前記第１の周波数を表示する表示部と、を備える、
請求項１乃至７のいずれか一項に記載の電力増幅装置。
【請求項９】
前記入力部は、前記第１の周波数の有効数字の各桁に対応するように設けられた複数のロータリースイッチを用いて構成されている、請求項８に記載の電力増幅装置。
【請求項１０】
前記表示部は前記電力増幅装置の主電源と別系統の電源を備えており、
前記表示部は前記電力増幅装置の主電源がオフ状態の場合であっても前記第１の周波数を表示するように構成されている、
請求項８または９に記載の電力増幅装置。
【請求項１１】
前記伝送線路と、当該伝送線路に対応した前記第１の周波数に関する情報を格納している周波数情報格納部とが一体で形成された伝送線路モジュールを備え、
前記伝送線路モジュールは前記第１の周波数に応じて交換可能に構成されており、
前記周波数比較器は、前記周波数情報格納部から前記第１の周波数に関する情報を取得する、
請求項６または７に記載の電力増幅装置。
【請求項１２】
ドハティアンプの設定周波数である第１の周波数に関する情報を取得し、
前記ドハティアンプの入力信号の周波数である第２の周波数に関する情報を取得し、
前記第１の周波数と前記第２の周波数とを比較し、前記第１の周波数と前記第２の周波数とが異なる場合、前記ドハティアンプの動作状態を非アクティブ状態にする、
電力増幅装置の制御方法。
【請求項１３】
ドハティアンプの設定周波数である第１の周波数に関する情報を取得し、
前記ドハティアンプの入力信号の周波数である第２の周波数に関する情報を取得し、
前記第１の周波数と前記第２の周波数とを比較し、前記第１の周波数と前記第２の周波数とが異なる場合、前記ドハティアンプの動作状態を非アクティブ状態にする、処理をコンピュータに実行させるためのプログラムが格納された非一時的なコンピュータ可読媒体。
【発明の詳細な説明】
【技術分野】
【０００１】
本発明は電力増幅装置、及び電力増幅装置の制御方法に関し、特にドハティアンプを備える電力増幅装置、及び電力増幅装置の制御方法に関する。
【背景技術】
【０００２】
線形性を保ちつつ高効率で動作する増幅器としてドハティアンプが広く用いられている。ドハティアンプは、入力端子と出力端子との間に、キャリアアンプとピークアンプとを並列に接続した構成を備える。また、ドハティアンプは、キャリアアンプとピークアンプとの出力インピーダンスの整合をとるための伝送線路を備える。ドハティアンプでは、高出力時にはキャリアアンプ及びピークアンプを動作させ、低出力時にはキャリアアンプのみを動作させてピークアンプの動作は停止する。このような動作により、ドハティアンプは、出力電力が飽和出力から大きく下がった場合であっても高効率に動作することができる。【０００３】
特許文献１には、増幅する信号が高周波数帯の信号であっても高効率動作が可能なドハティアンプに関する技術が開示されている。特許文献１に開示されているドハティアンプは、入力端子と出力端子との間に並列に接続された２つの経路を有する。一方の経路には第１のトランジスタを有するキャリアアンプ、及び入力信号の周波数の略４分の１波長の電気長を有する第１の伝送線路が直列に接続されている。他方の経路には第１の伝送線路の位相差に相当する電気長の第２の伝送線路、及び第２のトランジスタを有するピークアンプが直列に接続されている。そして、第１のトランジスタと第２のトランジスタは、伝送する信号の出力方向ベクトルが１８０ｄｅｇとなるように配置されている。
【先行技術文献】
【特許文献】
【０００４】
【特許文献１】特開２０１２−１１４７１１号公報
【発明の概要】
【発明が解決しようとする課題】
【０００５】
背景技術で説明したように、ドハティアンプは、キャリアアンプとピークアンプとの出力インピーダンスの整合をとるための伝送線路を備える。例えば、特許文献１に開示されているドハティアンプでは、入力信号の周波数の略４分の１波長の電気長を有する伝送線路を設けている。このように、ドハティアンプの伝送線路の長さはドハティアンプの入力信号の周波数（設定周波数）に対応している。換言すると、ドハティアンプは、所定の設定周波数で動作するように設計されている。これまでドハティアンプは入力信号の周波数が一定であるような環境下で使用されてきた。今後ドハティアンプを入力信号の周波数が頻繁に変化するような機器（例えば、放送機器）に適用した場合、ドハティアンプに設定周波数と異なる周波数の入力信号が供給されると、ドハティアンプが正常に動作しない場合やドハティアンプが破損する場合がある。しかしながら、ドハティアンプでは設定周波数と入力信号の周波数が異なる場合は想定されておらず、このためドハティアンプの保護を目的とした保護回路は設置されてこなかった。【０００６】
上記課題に鑑み本発明の目的は、設定周波数と異なる周波数の信号が供給された際にドハティアンプを保護することが可能な電力増幅装置、及び電力増幅装置の制御方法を提供することである。
【課題を解決するための手段】
【０００７】
本発明にかかる電力増幅装置は、第１の周波数で動作するように調整されたドハティアンプと、前記ドハティアンプの入力信号の周波数である第２の周波数と前記第１の周波数とを比較する周波数比較器と、前記第１の周波数と前記第２の周波数とが異なる場合、前記ドハティアンプの動作状態を非アクティブ状態にする保護回路と、を備える。【０００８】
本発明にかかる電力増幅装置の制御方法は、ドハティアンプの設定周波数である第１の周波数に関する情報を取得し、前記ドハティアンプの入力信号の周波数である第２の周波数に関する情報を取得し、前記第１の周波数と前記第２の周波数とを比較し、前記第１の周波数と前記第２の周波数とが異なる場合、前記ドハティアンプの動作状態を非アクティブ状態にする。【０００９】
本発明にかかるコンピュータ可読媒体は、ドハティアンプの設定周波数である第１の周波数に関する情報を取得し、前記ドハティアンプの入力信号の周波数である第２の周波数に関する情報を取得し、前記第１の周波数と前記第２の周波数とを比較し、前記第１の周波数と前記第２の周波数とが異なる場合、前記ドハティアンプの動作状態を非アクティブ状態にする、処理をコンピュータに実行させるためのプログラムが格納された非一時的なコンピュータ可読媒体である。
【発明の効果】
【００１０】
本発明により、設定周波数と異なる周波数の信号が供給された際にドハティアンプを保護することが可能な電力増幅装置、及び電力増幅装置の制御方法を提供することができる。
【図面の簡単な説明】
【００１１】
【図１】実施の形態１にかかる電力増幅装置を示すブロック図である。
【図２】実施の形態１にかかる電力増幅装置が備えるドハティアンプの一例を示す図である。
【図３】実施の形態１にかかる電力増幅装置の動作を説明するためのフローチャートである。
【図４】実施の形態１にかかる電力増幅装置の一例を示すブロック図である。
【図５】実施の形態１にかかる電力増幅装置の他の例を示すブロック図である。
【図６】実施の形態１にかかる電力増幅装置の他の例を示すブロック図である。
【図７】実施の形態１にかかる電力増幅装置の他の例を示すブロック図である。
【図８】実施の形態２にかかる電力増幅装置を示すブロック図である。
【図９】実施の形態３にかかる電力増幅装置を示すブロック図である。
【図１０】伝送線路モジュールの一例を示すブロック図である。
【発明を実施するための形態】
【００１２】
＜実施の形態１＞
以下、図面を参照して本発明の実施の形態について説明する。
図１は、実施の形態１にかかる電力増幅装置を示すブロック図である。図１に示すように、本実施の形態にかかる電力増幅装置１は、ドハティアンプ１０、周波数比較器１１、及び保護回路１２を備える。
【００１３】
ドハティアンプ１０は、入力信号ＲＦ_ＩＮを増幅し、増幅後の出力信号ＲＦ_ＯＵＴを出力する。ドハティアンプ１０は、設定周波数（第１の周波数）で動作するように調整されている。例えば、電力増幅装置１が放送用の送信機である場合、ドハティアンプ１０には入力信号ＲＦ_ＩＮとして放送用の信号が供給される。この場合、入力信号ＲＦ_ＩＮは、放送用の信号を生成する信号生成装置（不図示）で生成される。
【００１４】
図２は、ドハティアンプ１０の一例を示す図である。図２に示すように、ドハティアンプ１０は、９０°ハイブリッドカプラ１１１、キャリアアンプ１１２、ピークアンプ１１３、伝送線路Ａ（１１４）、及び伝送線路Ｂ（１１５）を備える。
【００１５】
９０°ハイブリッドカプラ１１１は、入力信号ＲＦ_ＩＮを２つの信号に分岐し、分岐した２つの信号をそれぞれ、キャリアアンプ１１２及びピークアンプ１１３に供給する。９０°ハイブリッドカプラ１１１には吸収抵抗Ｒａが接続されている。吸収抵抗Ｒａは、９０°ハイブリッドカプラ１１１で分岐した信号がキャリアアンプ１１２及びピークアンプ１１３で反射された際に、この反射された信号を吸収する。
【００１６】
キャリアアンプ１１２はＡ級、ＡＢ級またはＢ級にバイアスされたアンプである。キャリアアンプ１１２の出力信号は、伝送線路Ａ（１１４）を介して接続点１１６に出力される。伝送線路Ａ（１１４）は、ドハティアンプ１０の設定周波数と対応する長さ（つまり、設定周波数の１／４波長の長さ）を有する伝送線路であり、ドハティアンプのインピーダンス整合をとるために設けている。ピークアンプ１１３はＣ級にバイアスされたアンプである。ピークアンプ１１３の出力は接続点１１６に出力される。
【００１７】
ここで、９０°ハイブリッドカプラ１１１からピークアンプ１１３に供給される信号は、９０°ハイブリッドカプラ１１１からキャリアアンプ１１２に供給される信号に対して−９０°位相がずれている。また、キャリアアンプ１１２の出力信号は、伝送線路Ａ（１１４）を通過することで位相が−９０°ずれる。よって、キャリアアンプ１１２及びピークアンプ１１３が動作している際、キャリアアンプ１１２及び伝送線路Ａ（１１４）を備える経路が接続点１１６に出力する信号と、ピークアンプ１１３を備える経路が接続点１１６に出力する信号の位相は略同一となる。
【００１８】
伝送線路Ｂ（１１５）は、接続点１１６と出力端子との間に設けられており、ドハティアンプ１０の設定周波数と対応する長さ（つまり、設定周波数の１／４波長の長さ）を有する伝送線路である。伝送線路Ｂ（１１５）は、ドハティアンプのインピーダンス整合をとるために設けている。このように、ドハティアンプ１０では、伝送線路Ａ（１１４）及び伝送線路Ｂ（１１５）の長さは、ドハティアンプの入力信号ＲＦ_ＩＮの周波数（設定周波数）に基づき決定される。換言すると、ドハティアンプ１０は、所定の設定周波数で動作するように設計されている。
【００１９】
なお、図２に示したドハティアンプは一例であり、本実施の形態にかかる電力増幅装置１では、これ以外の構成を備えるドハティアンプを備えていてもよい。
【００２０】
図１に示す周波数比較器１１には、設定周波数情報２１及び供給周波数情報２２が供給される。設定周波数情報２１は、ドハティアンプ１０が動作する設定周波数に関する情報である。例えば、設定周波数情報２１は、電力増幅装置１が備えるメモリ（設定周波数情報格納部）に格納されている。供給周波数情報２２は、ドハティアンプ１０に供給される入力信号ＲＦ_ＩＮの周波数（第２の周波数）に関する情報である。例えば、供給周波数情報２２は、上位装置（不図示）から電力増幅装置１にシリアル通信を用いて供給される。ここで、上位装置（不図示）は、入力信号ＲＦ_ＩＮを生成する信号生成装置（不図示）と別の装置で構成してもよい。また、供給周波数情報２２を供給する上位装置と、入力信号ＲＦ_ＩＮを生成する信号生成装置とを一つの装置で構成してもよい。
【００２１】
図１に示す周波数比較器１１は、ドハティアンプ１０に供給される入力信号ＲＦ_ＩＮの供給周波数と、ドハティアンプ１０の設定周波数とを比較し、比較結果２３を保護回路１２に出力する。
【００２２】
保護回路１２は、ドハティアンプ１０に供給される入力信号ＲＦ_ＩＮの供給周波数と、ドハティアンプ１０の設定周波数とが異なる場合、ドハティアンプ１０の動作状態を非アクティブ状態にする。この場合はドハティアンプ１０が動作しないので、電力増幅装置１から出力信号ＲＦ_ＯＵＴは出力されない。一方、保護回路１２は、ドハティアンプ１０に供給される入力信号ＲＦ_ＩＮの供給周波数と、ドハティアンプ１０の設定周波数とが同一である場合、ドハティアンプ１０の動作状態をアクティブ状態にする。この場合はドハティアンプ１０が動作するので、電力増幅装置１から出力信号ＲＦ_ＯＵＴが出力される。
【００２３】
ここで、供給周波数と設定周波数とが同一であるとは、供給周波数と設定周波数とが略同一である場合を含むものとする。つまり、供給周波数と設定周波数とが完全に一致しない場合であっても、ドハティアンプが正常に動作する場合（つまり、所定の基準以上の動作性能を満たす場合）は、供給周波数と設定周波数とが略同一であるものとする。換言すると、供給周波数と設定周波数とが異なる場合とは、ドハティアンプが正常に動作しない程度に、供給周波数と設定周波数との差の絶対値が大きい場合である。
【００２４】
次に、本実施の形態にかかる電力増幅装置１の動作について、図３に示すフローチャートを用いて説明する。本実施の形態にかかる電力増幅装置１では、ドハティアンプ１０の設定周波数情報が予めメモリ等に格納されているものとする。また、図３に示す処理は、供給周波数情報２２を供給する上位装置が電力増幅装置１に接続されたタイミングで開始するものとする。
【００２５】
電力増幅装置１に上位装置が接続されると、周波数比較器１１は設定周波数情報２１を取得する（ステップＳ１）。また、周波数比較器１１は上位装置から供給周波数情報２２を取得する（ステップＳ２）。例えば、供給周波数情報２２は上位装置から電力増幅装置１にシリアル通信を用いて供給される。次に、周波数比較器１１は、ドハティアンプ１０に供給される入力信号ＲＦ_ＩＮの供給周波数と、ドハティアンプ１０の設定周波数とを比較する（ステップＳ３）。そして、保護回路１２は供給周波数と設定周波数とが同一である場合（ステップＳ４：Ｙｅｓ）、ドハティアンプ１０の動作状態をアクティブ状態にする（ステップＳ５）。この場合はドハティアンプ１０が動作するので、電力増幅装置１から出力信号ＲＦ_ＯＵＴが出力される。一方、保護回路１２は供給周波数と設定周波数とが異なる場合（ステップＳ４：Ｎｏ）、ドハティアンプ１０の動作状態を非アクティブ状態にする（ステップＳ６）。この場合はドハティアンプ１０が動作しないので、電力増幅装置１から出力信号ＲＦ_ＯＵＴは出力されない。なお、上記のステップＳ１とステップＳ２は順番が逆であってもよい。すなわち、周波数比較器１１は、供給周波数情報２２を取得した後に、設定周波数情報２１を取得してもよい。
【００２６】
背景技術で説明したように、ドハティアンプは、キャリアアンプとピークアンプとの出力インピーダンスの整合をとるための伝送線路を備える。例えば、特許文献１に開示されているドハティアンプでは、入力信号の周波数の略４分の１波長の電気長を有する伝送線路を設けている。このように、ドハティアンプの伝送線路の長さはドハティアンプの入力信号の周波数（設定周波数）に対応している。換言すると、ドハティアンプは、所定の設定周波数で動作するように設計されている。これまでドハティアンプは入力信号の周波数が一定であるような環境下で使用されてきた。今後ドハティアンプを入力信号の周波数が頻繁に変化するような機器（例えば、放送機器）に適用した場合、ドハティアンプに設定周波数と異なる周波数の入力信号が供給されると、ドハティアンプが正常に動作しない場合やドハティアンプが破損する場合がある。しかしながら、ドハティアンプでは設定周波数と入力信号の周波数が異なる場合は想定されておらず、このためドハティアンプの保護を目的とした保護回路は設置されてこなかった。
【００２７】
特に、ドハティアンプの伝送線路をモジュール（交換可能な部品）で構成した場合は、ドハティアンプの伝送線路を設定周波数に対応した伝送線路に交換することで、一つの電力増幅装置を異なる設定周波数で使用することができる。しかしこの場合は、一つの電力増幅装置を異なる設定周波数に設定可能であるため、現在の設定周波数と異なる周波数の信号を増幅するアンプとしてユーザが誤って使用するおそれがある。
【００２８】
そこで本実施の形態にかかる電力増幅装置１では、ドハティアンプ１０に供給される入力信号ＲＦ_ＩＮの周波数である供給周波数と、ドハティアンプ１０の設定周波数とを比較している。そして、供給周波数と設定周波数とが異なる場合、ドハティアンプ１０の動作状態を非アクティブ状態にしている。よって、ドハティアンプ１０の設定周波数と異なる周波数の入力信号ＲＦ_ＩＮが供給された際にドハティアンプ１０を保護することができる。
【００２９】
本実施の形態にかかる電力増幅装置では、例えばドハティアンプ１０への電力供給を抑制することで、ドハティアンプ１０の動作状態を非アクティブ状態にすることができる。図４は、本実施の形態にかかる電力増幅装置の一例を示すブロック図であり、ドハティアンプ１０への電力供給を抑制することで、ドハティアンプ１０の動作状態を非アクティブ状態にする電力増幅装置１_１を示すブロック図である。
【００３０】
図４に示す電力増幅装置１_１は電源回路１３を更に備える。これ以外の構成は、図１に示した電力増幅装置１と同様である。電源回路１３は、ドハティアンプ１０に電力を供給するための回路である。保護回路１２_１は、ドハティアンプ１０に供給される入力信号ＲＦ_ＩＮの供給周波数と、ドハティアンプ１０の設定周波数とが異なる場合、電源回路１３からドハティアンプ１０への電力供給を遮断して、ドハティアンプ１０の動作状態を非アクティブ状態にする。この場合はドハティアンプ１０が動作しないので、電力増幅装置１_１から出力信号ＲＦ_ＯＵＴは出力されない。
【００３１】
一方、保護回路１２_１は、ドハティアンプ１０に供給される入力信号ＲＦ_ＩＮの供給周波数と、ドハティアンプ１０の設定周波数とが同一である場合、ドハティアンプ１０に電源回路１３からの電力を供給し、ドハティアンプ１０の動作状態をアクティブ状態にする。この場合はドハティアンプ１０が動作するので、電力増幅装置１_１から出力信号ＲＦ_ＯＵＴが出力される。
【００３２】
例えば保護回路１２_１は、周波数比較器１１の比較結果２３に応じて、電源回路１３とドハティアンプ１０との接続状態（接続・非接続）を切り替えるスイッチ素子で構成することができる。
【００３３】
また、本実施の形態にかかる電力増幅装置では、例えば可変減衰器を用いてドハティアンプ１０の入力信号ＲＦ_ＩＮを減衰させることで、ドハティアンプ１０の動作状態を非アクティブ状態にしてもよい。図５は、本実施の形態にかかる電力増幅装置の他の例を示すブロック図であり、ドハティアンプ１０の入力信号ＲＦ_ＩＮを減衰させることで、ドハティアンプ１０の動作状態を非アクティブ状態にする電力増幅装置１_２を示すブロック図である。
【００３４】
図５に示す電力増幅装置１_２は可変減衰器１５を更に備える。これ以外の構成は、図１に示した電力増幅装置１と同様である。可変減衰器１５は、ドハティアンプ１０に供給される入力信号ＲＦ_ＩＮのレベルを調整するための素子である。保護回路１２_２は、ドハティアンプ１０に供給される入力信号ＲＦ_ＩＮの供給周波数と、ドハティアンプ１０の設定周波数とが異なる場合、可変減衰器１５を用いてドハティアンプ１０の入力信号ＲＦ_ＩＮを減衰させる（例えば減衰量を最大にする）。これにより、ドハティアンプ１０の動作状態を非アクティブ状態にすることができる。この場合はドハティアンプ１０が動作しないので、電力増幅装置１_２から出力信号ＲＦ_ＯＵＴは出力されない。
【００３５】
一方、保護回路１２_２は、ドハティアンプ１０に供給される入力信号ＲＦ_ＩＮの供給周波数と、ドハティアンプ１０の設定周波数とが同一である場合、可変減衰器１５がドハティアンプ１０の入力信号ＲＦ_ＩＮを減衰させないようにする（例えば減衰量を最小にする）。これにより、ドハティアンプ１０の動作状態をアクティブ状態にすることができる。この場合はドハティアンプ１０が動作するので、電力増幅装置１_２から出力信号ＲＦ_ＯＵＴが出力される。
【００３６】
また、本実施の形態にかかる電力増幅装置では、例えばドハティアンプ１０の前段に設けられたプリアンプへの電力供給を抑制することで、ドハティアンプ１０の動作状態を非アクティブ状態にしてもよい。図６は、本実施の形態にかかる電力増幅装置の他の例を示すブロック図であり、ドハティアンプ１０の前段に設けられたプリアンプ１７への電力供給を抑制することで、ドハティアンプ１０の動作状態を非アクティブ状態にする電力増幅装置１_３を示すブロック図である。
【００３７】
図６に示す電力増幅装置１_３は電源回路１６及びプリアンプ１７を更に備える。これ以外の構成は、図１に示した電力増幅装置１と同様である。電源回路１６は、プリアンプ１７に電力を供給するための回路である。プリアンプ１７は、入力信号ＲＦ_ＩＮを所定のレベルまで増幅するためのアンプである。例えばプリアンプ１７は、ドライバアンプであり、ＲＦ ＩＣ（Radio Frequency Integrated Circuit）等を用いて構成することができる。
【００３８】
保護回路１２_３は、入力信号ＲＦ_ＩＮの供給周波数とドハティアンプ１０の設定周波数とが異なる場合、電源回路１６からプリアンプ１７への電力供給を遮断する。この場合は、プリアンプ１７からドハティアンプ１０に入力信号ＲＦ_ＩＮが供給されないので、ドハティアンプ１０の動作状態は非アクティブ状態となる。
【００３９】
一方、保護回路１２_３は、入力信号ＲＦ_ＩＮの供給周波数とドハティアンプ１０の設定周波数とが同一である場合、電源回路１６からプリアンプ１７に電力を供給する。この場合は、プリアンプ１７からドハティアンプ１０に入力信号ＲＦ_ＩＮ（所定のレベルに増幅された入力信号）が供給されるので、ドハティアンプ１０の動作状態はアクティブ状態となる。
【００４０】
例えば保護回路１２_３は、周波数比較器１１の比較結果２３に応じて、電源回路１６とプリアンプ１７との接続状態（接続・非接続）を切り替えるスイッチ素子で構成することができる。
【００４１】
また、本実施の形態にかかる電力増幅装置では、例えばドハティアンプ１０の前段にスイッチ素子を設け、このスイッチ素子を用いてドハティアンプ１０の入力信号ＲＦ_ＩＮを遮断することで、ドハティアンプ１０の動作状態を非アクティブ状態にしてもよい。図７は、本実施の形態にかかる電力増幅装置の他の例を示すブロック図であり、ドハティアンプ１０の入力信号ＲＦ_ＩＮをスイッチ素子１８を用いて遮断することで、ドハティアンプ１０の動作状態を非アクティブ状態にする電力増幅装置１_４を示すブロック図である。
【００４２】
図７に示す電力増幅装置１_４はスイッチ素子１８を更に備える。これ以外の構成は、図１に示した電力増幅装置１と同様である。スイッチ素子１８は、ドハティアンプ１０に入力信号ＲＦ_ＩＮを供給する場合と、ドハティアンプ１０に入力信号ＲＦ_ＩＮを供給しない場合とを切り替えるための素子である。保護回路１２_４は、ドハティアンプ１０に供給される入力信号ＲＦ_ＩＮの供給周波数と、ドハティアンプ１０の設定周波数とが異なる場合、スイッチ素子１８を用いてドハティアンプ１０の入力信号ＲＦ_ＩＮを遮断する。これにより、ドハティアンプ１０の動作状態を非アクティブ状態にすることができる。
【００４３】
一方、保護回路１２_４は、ドハティアンプ１０に供給される入力信号ＲＦ_ＩＮの供給周波数と、ドハティアンプ１０の設定周波数とが同一である場合、ドハティアンプ１０に入力信号ＲＦ_ＩＮが供給されるようにする。これにより、ドハティアンプ１０の動作状態をアクティブ状態にすることができる。
【００４４】
以上で説明した本実施の形態にかかる発明により、設定周波数と異なる周波数の信号が供給された際にドハティアンプを保護することが可能な電力増幅装置、及び電力増幅装置の制御方法を提供することができる。
【００４５】
＜実施の形態２＞
次に、本発明の実施の形態２について説明する。図８は、本実施の形態にかかる電力増幅装置２を示すブロック図である。本実施の形態にかかる電力増幅装置２では、入力部３１、設定周波数情報格納部３２、及び表示部３３を備えている点が、実施の形態１で説明した電力増幅装置と異なる。これ以外は実施の形態１で説明した電力増幅装置と同様であるので、同一の構成要素には同一の符号を付し、重複した説明は省略する。なお、本実施の形態においても、例えばドハティアンプ１０への電力供給を抑制することで、ドハティアンプ１０の動作状態を非アクティブ状態にしてもよい（図４参照）。また、例えば可変減衰器を用いてドハティアンプ１０の入力信号ＲＦ_ＩＮを減衰させることで、ドハティアンプ１０の動作状態を非アクティブ状態にしてもよい（図５参照）。また、プリアンプへの電力供給を抑制することで、ドハティアンプ１０の動作状態を非アクティブ状態にしてもよい（図６参照）。また、スイッチ素子を用いてドハティアンプ１０の入力信号ＲＦ_ＩＮを遮断することで、ドハティアンプ１０の動作状態を非アクティブ状態にしてもよい（図７参照）。
【００４６】
入力部３１は、ドハティアンプ１０の設定周波数を入力するためのユーザインタフェースで構成されている。例えば、入力部３１はロータリースイッチやキーボード等を用いて構成することができる。設定周波数情報格納部３２は、入力部３１で入力された設定周波数情報を格納する。また、設定周波数情報格納部３２は、格納されている設定周波数情報を周波数比較器１１及び表示部３３に供給する。
【００４７】
表示部３３は、設定周波数情報格納部３２に格納されている設定周波数を表示する。表示部３３は、例えば数字を表示可能なＬＥＤ（Light Emitting Diode）等を用いて構成することができる。
【００４８】
入力部３１を設けることで、ユーザは、例えばドハティアンプ１０の伝送線路を交換することでドハティアンプ１０の設定周波数を変更した際に、電力増幅装置２の設定周波数情報を新しい設定周波数情報に更新することができる。また、本実施の形態にかかる電力増幅装置２は表示部３３を備えているので、ドハティアンプ１０の現在の設定周波数をユーザに通知することができる。例えば、表示部３３の電源を、電力増幅装置２の主電源と別系統の電源を用いて構成し、電力増幅装置２の主電源がオフ状態の場合であっても表示部３３に設定周波数が表示されるように構成することで、ユーザは常に電力増幅装置２の設定周波数を確認することができる。
【００４９】
このように、表示部３３に現在の設定周波数を表示することで、現在の設定周波数と異なる周波数の信号を増幅するアンプとしてユーザが誤って使用することを抑制することができる。また、ユーザは、電力増幅装置２に搭載されている伝送線路の寸法を確認することなく、電力増幅装置２の設定周波数を知ることができるので、電力増幅装置２の利便性が向上する。
【００５０】
入力部３１は、設定周波数の有効数字の各桁に対応するように設けられた複数のロータリースイッチを用いて構成してもよい。例えば、設定周波数が有効数字３桁の場合は、３つのロータリースイッチ（つまり、１桁目に対応したロータリースイッチ、２桁目に対応したロータリースイッチ、３桁目に対応したロータリースイッチ）を用いて入力部３１を構成することができる。ロータリースイッチを用いて入力部３１を構成した場、ロータリースイッチは値を保持することができるので、設定周波数情報格納部３２を省略することができる。
【００５１】
＜実施の形態３＞
次に、本発明の実施の形態３について説明する。図９は、本実施の形態にかかる電力増幅装置３を示すブロック図である。本実施の形態にかかる電力増幅装置３では、ドハティアンプ４０が伝送線路モジュール４１を備えている点、また周波数情報取得部４６を備えている点が、実施の形態１で説明した電力増幅装置１と異なる。これ以外は実施の形態１にかかる電力増幅装置１と同様であるので、同一の構成要素には同一の符号を付し、重複した説明は省略する。なお、本実施の形態においても、例えばドハティアンプ４０への電力供給を抑制することで、ドハティアンプ４０の動作状態を非アクティブ状態にしてもよい（図４参照）。また、例えば可変減衰器を用いてドハティアンプ４０の入力信号ＲＦ_ＩＮを減衰させることで、ドハティアンプの動作状態を非アクティブ状態にしてもよい（図５参照）。また、プリアンプへの電力供給を抑制することで、ドハティアンプ１０の動作状態を非アクティブ状態にしてもよい（図６参照）。また、スイッチ素子を用いてドハティアンプ１０の入力信号ＲＦ_ＩＮを遮断することで、ドハティアンプ１０の動作状態を非アクティブ状態にしてもよい（図７参照）。
【００５２】
図９に示すように、本実施の形態にかかる電力増幅装置３が備えるドハティアンプ４０は、伝送線路モジュール４１を備える。図１０は、伝送線路モジュール４１の一例を示すブロック図である。図１０に示すように、伝送線路モジュール４１は、伝送線路Ａ（４２）、伝送線路Ｂ（４３）、設定周波数情報格納部４４、及びインタフェース４５を備える。
【００５３】
例えば伝送線路Ａ（４２）及び伝送線路Ｂ（４３）は、図２に示したドハティアンプの伝送線路Ａ（１１４）及び伝送線路Ｂ（１１５）にそれぞれ対応している。設定周波数情報格納部４４は、伝送線路モジュール４１に対応した設定周波数、つまり伝送線路Ａ（４２）及び伝送線路Ｂ（４３）に対応した設定周波数を格納している。換言すると、設定周波数情報格納部４４は、伝送線路モジュール４１を搭載したドハティアンプ４０が動作する周波数を格納している。
【００５４】
インタフェース４５は、例えばコネクタで構成されており、伝送線路モジュール４１が電力増幅装置３に取り付けられた際に、周波数情報取得部４６と接続される。図１０に示すように、伝送線路モジュール４１は、伝送線路Ａ（４２）、伝送線路Ｂ（４３）、及び設定周波数情報格納部４４が一体で形成されている。伝送線路モジュール４１は電力増幅装置３（ドハティアンプ４０）の設定周波数に応じて交換可能に構成されている。
【００５５】
周波数情報取得部４６は、伝送線路モジュール４１が備える設定周波数情報格納部４４から、伝送線路モジュール４１に対応した設定周波数情報を取得する。周波数情報取得部４６は、取得した設定周波数情報２１を周波数比較器１１に供給する。
【００５６】
このように本実施の形態にかかる電力増幅装置３では、伝送線路モジュール４１が備える設定周波数情報格納部４４に、伝送線路モジュール４１に対応した設定周波数情報を格納している。そして、伝送線路モジュール４１を電力増幅装置３に搭載した際に、周波数情報取得部４６が、伝送線路モジュール４１が備える設定周波数情報格納部４４から、伝送線路モジュール４１に対応した設定周波数情報を取得するように構成している。よって、伝送線路モジュール４１に対応した設定周波数情報を自動的に取得することができる。
【００５７】
例えば実施の形態２で説明した電力増幅装置２のように、入力部３１を用いてユーザが設定周波数情報を入力した場合は、ユーザの入力ミスなどにより設定周波数情報が正しく入力されない場合も想定された。これに対して本実施の形態にかかる電力増幅装置３では、伝送線路モジュール４１に対応した設定周波数情報を自動的に取得することができるので、電力増幅装置３は常に正しい設定周波数情報を取得することができる。
【００５８】
なお、上述の実施の形態１乃至３では、本発明をハードウェアの構成として説明したが、本発明は、これに限定されるものではない。本発明は、例えば、図３のフローチャートに記載の処理を、ＣＰＵ（Central Processing Unit）にコンピュータプログラムを実行させることにより実現することも可能である。
【００５９】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６０】
以上、実施の形態を参照して本願発明を説明したが、本願発明は上記によって限定されるものではない。本願発明の構成や詳細には、発明のスコープ内で当業者が理解し得る様々な変更をすることができる。
【符号の説明】
【００６１】
１、２、３  電力増幅装置
１０  ドハティアンプ
１１  周波数比較器
１２  保護回路
１３  電源回路
１５  可変減衰器
１６  電源回路
１７  プリアンプ
１８  スイッチ素子
３１  入力部
３２  設定周波数情報格納部
３３  表示部
４０  ドハティアンプ
４１  伝送線路モジュール
４２、４３  伝送線路
４４  設定周波数情報格納部
４５  インタフェース
４６  周波数情報取得部
【図１】
2015033379.tif 000003
【図２】
2015033379.tif 000004
【図３】
2015033379.tif 000005
【図４】
2015033379.tif 000006
【図５】
2015033379.tif 000007
【図６】
2015033379.tif 000008
【図７】
2015033379.tif 000009
【図８】
2015033379.tif 000010
【図９】
2015033379.tif 000011
【図１０】
2015033379.tif 000012
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
第１の周波数で動作するように調整されたドハティアンプと、
前記ドハティアンプの入力信号の周波数である第２の周波数と前記第１の周波数とを比較する周波数比較器と、
前記第１の周波数と前記第２の周波数とが異なる場合、前記ドハティアンプの動作状態を非アクティブ状態にする保護回路と、を備える、
電力増幅装置。
【請求項２】
前記保護回路は、前記ドハティアンプへの電力供給を抑制することで前記ドハティアンプの動作状態を非アクティブ状態にする、請求項１に記載の電力増幅装置。
【請求項３】
前記ドハティアンプの前記入力信号を減衰させる可変減衰器を更に備え、
前記保護回路は、前記可変減衰器を用いて前記ドハティアンプの前記入力信号を減衰させることで前記ドハティアンプの動作状態を非アクティブ状態にする、請求項１に記載の電力増幅装置。
【請求項４】
前記ドハティアンプの前段に設けられ、前記入力信号を所定のレベルに増幅するプリアンプを更に備え、
前記保護回路は、前記プリアンプへの電力供給を抑制することで前記ドハティアンプの動作状態を非アクティブ状態にする、請求項１に記載の電力増幅装置。
【請求項５】
前記ドハティアンプの前段に設けられたスイッチ素子を更に備え、
前記保護回路は、前記スイッチ素子を用いて前記ドハティアンプの前記入力信号を遮断することで前記ドハティアンプの動作状態を非アクティブ状態にする、請求項１に記載の電力増幅装置。
【請求項６】
前記ドハティアンプは伝送線路を含み、
前記伝送線路は、前記ドハティアンプの設定周波数である前記第１の周波数と対応する長さを備える、
請求項１乃至５のいずれか一項に記載の電力増幅装置。
【請求項７】
前記伝送線路は前記第１の周波数に応じて交換可能に構成されている、請求項６に記載の電力増幅装置。
【請求項８】
前記ドハティアンプの設定周波数である前記第１の周波数を入力するための入力部と、
前記入力部を用いて入力された前記第１の周波数を表示する表示部と、を備える、
請求項１乃至７のいずれか一項に記載の電力増幅装置。
【請求項９】
前記入力部は、前記第１の周波数の有効数字の各桁に対応するように設けられた複数のロータリースイッチを用いて構成されている、請求項８に記載の電力増幅装置。
【請求項１０】
前記表示部は前記電力増幅装置の主電源と別系統の電源を備えており、
前記表示部は前記電力増幅装置の主電源がオフ状態の場合であっても前記第１の周波数を表示するように構成されている、
請求項８または９に記載の電力増幅装置。
【請求項１１】
前記伝送線路と、当該伝送線路に対応した前記第１の周波数に関する情報を格納している周波数情報格納部とが一体で形成された伝送線路モジュールを備え、
前記伝送線路モジュールは前記第１の周波数に応じて交換可能に構成されており、
前記周波数比較器は、前記周波数情報格納部から前記第１の周波数に関する情報を取得する、
請求項６または７に記載の電力増幅装置。
【請求項１２】
ドハティアンプの設定周波数である第１の周波数に関する情報を取得し、
前記ドハティアンプの入力信号の周波数である第２の周波数に関する情報を取得し、
前記第１の周波数と前記第２の周波数とを比較し、前記第１の周波数と前記第２の周波数とが異なる場合、前記ドハティアンプの動作状態を非アクティブ状態にする、
電力増幅装置の制御方法。
【請求項１３】
ドハティアンプの設定周波数である第１の周波数に関する情報を取得し、
前記ドハティアンプの入力信号の周波数である第２の周波数に関する情報を取得し、
前記第１の周波数と前記第２の周波数とを比較し、前記第１の周波数と前記第２の周波数とが異なる場合、前記ドハティアンプの動作状態を非アクティブ状態にする、処理をコンピュータに実行させるためのプログラム。
【国際調査報告】
2015033379.tif 000013
2015033379.tif 000014
2015033379.tif 000015
2015033379.tif 000016